(57)【要約】【課題】手動での洗浄操作および自動での洗浄操作の両方に対応しつつ、洗浄動作を適切に実行すること。【解決手段】排水弁装置と、細長状の手動用接続部と、細長状の電動用接続部とを備える。排水弁装置は、便器に供給される洗浄水を貯留する洗浄水タンクの内部に配置され、洗浄水タンクの排水口を開閉する排水弁体と、排水弁体の上下動をガイドする筒状のガイド部と、ガイド部の側面に設けられた少なくとも１つの開口とを備える。細長状の手動用接続部は、排水弁体に設けられた被接続部に下端が接続され、手動引上部に上端が接続される。細長状の電動用接続部は、被接続部に下端が接続され、電動引上部に上端が接続される。また、実施形態に係る洗浄水タンク装置は、手動用接続部の一部が第１筒部材によって覆われ、電動用接続部の一部が第２筒部材によって覆われる。【選択図】図４
2020097864.tif 000002
【特許請求の範囲】
【請求項１】
便器に供給される洗浄水を貯留する洗浄水タンクの内部に配置され、前記洗浄水タンクの排水口を開閉する排水弁体と、前記排水弁体の上下動をガイドする筒状のガイド部と、前記ガイド部の側面に設けられた少なくとも１つの開口とを備える排水弁装置と、
前記排水弁体に設けられた被接続部に下端が接続され、手動引上部に上端が接続される細長状の手動用接続部と、
前記被接続部に下端が接続され、電動引上部に上端が接続される細長状の電動用接続部と
を備え、
前記手動用接続部の一部が第１筒部材によって覆われ、前記電動用接続部の一部が第２筒部材によって覆われる、洗浄水タンク装置。
【請求項２】
前記第１筒部材および前記第２筒部材のうち少なくとも一方の上端は、前記ガイド部の上端よりも上方に位置する、請求項１に記載の洗浄水タンク装置。
【請求項３】
前記第１筒部材および前記第２筒部材のうち一方の長さは、前記開口の上下幅よりも長い、請求項１または２に記載の洗浄水タンク装置。
【請求項４】
前記第１筒部材および前記第２筒部材のうち一方の下端は、前記洗浄水タンクにおける死水水位よりも上方に位置する、請求項１〜３の何れか一つに記載の洗浄水タンク装置。
【請求項５】
前記第１筒部材および前記第２筒部材のうち一方の下端は、前記第１筒部材および前記第２筒部材のうち一方が設けられる前記手動用接続部および前記電動用接続部のうち一方における前記被接続部に接続される下端側接続部材に接しており、前記第１筒部材および前記第２筒部材のうち他方の下端は、前記第１筒部材および前記第２筒部材のうち一方の下端よりも上方に位置する、請求項１〜４の何れか一つに記載の洗浄水タンク装置。
【請求項６】
前記手動用接続部に固定され、前記第１筒部材が上方へ移動した際に前記第１筒部材の上端に当接する第１当接部材と、
前記電動用接続部に固定され、前記第２筒部材が上方へ移動した際に前記第２筒部材の上端に当接する第２当接部材と
を備える、請求項１〜５の何れか一つに記載の洗浄水タンク装置。
【発明の詳細な説明】
【技術分野】
【０００１】
開示の実施形態は、洗浄水タンク装置に関する。
【背景技術】
【０００２】
従来、手動での洗浄操作と自動での洗浄操作との両方に対応した洗浄水タンク装置が知られている。
【０００３】
たとえば、特許文献１には、フラップ式の排水弁体に対して手動用のチェーンと電動用のチェーンとが接続された洗浄水タンク装置が開示されている。この洗浄水タンク装置によれば、手動による洗浄操作が行われた場合には手動用のチェーンが引き上げられ、電動による洗浄操作が行われた場合には電動用のチェーンが引き上げられることで、排水弁体を引き上げて洗浄動作を開始させることができる。
【先行技術文献】
【特許文献】
【０００４】
【特許文献１】米国特許出願公開第２００８／００７２３６９号明細書
【発明の概要】
【発明が解決しようとする課題】
【０００５】
しかしながら、排水口を上下動により開閉する直動式の排水弁体を備える洗浄水タンク装置に対して上述した従来技術を適用した場合、手動用チェーンおよび電動用チェーンのうち一方のチェーンが他方のチェーンに干渉するおそれがある。また、排水弁体の上下動をガイドするガイド部に手動用チェーンまたは電動用チェーンが干渉するおそれもある。このような干渉が生じると、洗浄動作が正常に行われなくなるおそれがある。
【０００６】
実施形態の一態様は、上記に鑑みてなされたものであって、手動での洗浄操作および自動での洗浄操作の両方に対応しつつ、洗浄動作を適切に実行することができる洗浄水タンク装置を提供することを目的とする。
【課題を解決するための手段】
【０００７】
実施形態の一態様に係る洗浄水タンク装置は、便器に供給される洗浄水を貯留する洗浄水タンクの内部に配置され、前記洗浄水タンクの排水口を開閉する排水弁体と、前記排水弁体の上下動をガイドする筒状のガイド部と、前記ガイド部の側面に設けられた少なくとも１つの開口とを備える排水弁装置と、前記排水弁体に設けられた被接続部に下端が接続され、手動引上部に上端が接続される細長状の手動用接続部と、前記被接続部に下端が接続され、電動引上部に上端が接続される細長状の電動用接続部とを備え、前記手動用接続部の一部が第１筒部材によって覆われ、前記電動用接続部の一部が第２筒部材によって覆われる。
【０００８】
手動用接続部および電動用接続部をそれぞれ第１筒部材および第２筒部材で覆うことで、手動用接続部および電動用接続部の弛みを抑制することができる。これにより、手動用接続部および電動用接続部は、絡まりにくくなり、ガイド部の開口への入り込みを生じ難くなる、すなわち、手動用接続部および電動用接続部の干渉が生じ難くなる。したがって、手動での洗浄操作および自動での洗浄操作の両方に対応しつつ、洗浄動作を適切に実行することができる。
【０００９】
前記第１筒部材および前記第２筒部材のうち少なくとも一方の上端は、前記ガイド部の上端よりも上方に位置していてもよい。これにより、ガイド部に形成された開口に第１筒部材または第２筒部材が入り込みにくくなることから、手動用接続部または電動用接続部と開口との干渉を抑制することができる。
【００１０】
前記第１筒部材および前記第２筒部材のうち一方の長さは、前記開口の上下幅よりも長くてもよい。このように構成することで、ガイド部に形成された開口に第１筒部材または第２筒部材が入り込むことをより確実に抑制することができる。
【００１１】
前記第１筒部材および前記第２筒部材のうち一方の下端は、前記洗浄水タンクにおける死水水位よりも上方に位置していてもよい。これにより、死水水位の変動を抑えることができる。
【００１２】
前記第１筒部材および前記第２筒部材のうち一方の下端は、前記第１筒部材および前記第２筒部材のうち一方が設けられる前記手動用接続部および前記電動用接続部のうち一方における前記被接続部に接続される下端側接続部材に接していてもよい。また、前記第１筒部材および前記第２筒部材のうち他方の下端は、前記第１筒部材および前記第２筒部材のうち一方の下端よりも上方に位置していてもよい。このように構成することで、第１筒部材と第２筒部材との干渉を抑制することができる。
【００１３】
実施形態の一態様に係る洗浄水タンク装置は、前記手動用接続部に固定され、前記第１筒部材が上方へ移動した際に前記第１筒部材の上端に当接する第１当接部材と、前記電動用接続部に固定され、前記第２筒部材が上方へ移動した際に前記第２筒部材の上端に当接する第２当接部材とを備えていてもよい。これにより、第１筒部材および第２筒部材が浮力により上方に移動することによって手動用接続部および電動用接続部が露出することを抑制することができる。
【発明の効果】
【００１４】
実施形態の一態様によれば、手動での洗浄操作および自動での洗浄操作の両方に対応しつつ、洗浄動作を適切に実行することができる。
【図面の簡単な説明】
【００１５】
【図１】図１は、水洗大便器装置の構成の一例を示す全体斜視図である。
【図２】図２は、洗浄水タンク装置の内部構成の一例を示す模式図である。
【図３】図３は、排水弁装置の断面図である。
【図４】図４は、排水弁体における被接続部の周辺を拡大して示した断面図である。
【発明を実施するための形態】
【００１６】
以下、添付図面を参照して、本願の開示する洗浄水タンク装置の実施形態を詳細に説明する。なお、以下に示す実施形態によりこの発明が限定されるものではない。
【００１７】
＜１．水洗大便器装置の全体構成＞
まず、本実施形態に係る洗浄水タンク装置を含む水洗大便器装置の全体構成について図１を参照して説明する。図１は、水洗大便器装置の構成の一例を示す全体斜視図である。
【００１８】
なお、本明細書においては、鉛直上向き方向を「上方」、鉛直下向き方向を「下方」と記載する。また、便器２に正対した使用者からみて便器２の手前側を「前方」、奥側を「後方」、右側を「右側方」、左側を「左側方」と記載する。
【００１９】
図１に示すように、水洗大便器装置１は、便器２と、洗浄水タンク装置３とを備える。便器２は、たとえば陶器製の洋式大便器であり、ボウル部２１と、このボウル部２１の下部に連通する排水トラップ管路２２とを備える。ボウル部２１には、便器２の内部に形成された導水路（図示せず）から供給される洗浄水を吐水する吐水口２３が形成され、吐水口２３から吐水された洗浄水は、旋回しながら下降してボウル部２１を洗浄するようになっている。排水トラップ管路２２は、ボウル部２１に貯留される洗浄水の溜水面Ｗ０よりも下方に一端側の開口部が設けられ、他端側の開口部は、排水ソケット（図示せず）を介して床下の排出管（図示せず）に接続される。
【００２０】
洗浄水タンク装置３は、便器２の後方側の上面に配置され、便器２に供給される洗浄水を貯水する。なお、洗浄水タンク装置３は、便器２と一体的に形成されたもの（所謂ワンピース型）であってもよい。
【００２１】
＜２．洗浄水タンク装置の内部構成＞
次に、洗浄水タンク装置３の内部構成について図２を参照して説明する。図２は、洗浄水タンク装置３の内部構成の一例を示す模式図である。
【００２２】
図２に示すように、洗浄水タンク装置３は、上方が開放された洗浄水タンク３０と、洗浄水タンク３０の上部に設置される上蓋３５とを備える。
【００２３】
洗浄水タンク３０の底部３１には、便器２の導水路（図示せず）と連通する排水口３２が形成されており、洗浄水タンク装置３内の洗浄水は、かかる排水口３２から便器２の導水路（図示せず）へ供給されるようになっている。
【００２４】
洗浄水タンク装置３は、洗浄水タンク３０の内部に、給水装置４と、排水弁装置５とを備える。
【００２５】
給水装置４は、洗浄水タンク装置３の内部に洗浄水を供給するための装置である。具体的には、給水装置４は、外部の給水源（図示せず）に接続される給水管４１と、この給水管４１の上端部に取り付けられ、給水管４１から給水される洗浄水の吐水と止水とを切り替える給水バルブ４２と、洗浄水タンク装置３内の水位の変動に応じて上下動することによって給水バルブ４２による吐水と止水を切り替えるフロート４３とを備える。
【００２６】
洗浄水タンク装置３内の洗浄水が便器２へ排出されると、洗浄水の水位が低下し、これに伴ってフロート４３が下降することで給水バルブ４２が開放される。これにより、給水装置４から洗浄水タンク装置３への給水が開始される。一方、給水装置４からの給水によって洗浄水タンク装置３内の水位が上昇すると、水位の上昇に伴ってフロート４３が上昇することによって給水バルブ４２が閉じられる。これにより、給水装置４から洗浄水タンク装置３への給水が停止する。
【００２７】
排水弁装置５は、排水口３２の上部に設けられ、排水口３２を開放または閉鎖することによって洗浄水タンク装置３から便器２への排水を開始または停止させる。かかる排水弁装置５の構成の一例について図３をさらに参照して説明する。図３は、排水弁装置５の断面図である。
【００２８】
図２および図３に示すように、排水弁装置５は、本体部５１と、排水弁体５２と、ガイド部５３と、調整筒５４と、オーバーフロー管５５とを備える。
【００２９】
図３に示すように、本体部５１は、排水口３２に差し込まれる排水筒５１１と、排水筒５１１よりも上方に形成され、排水弁体５２が着座する弁座５１２と、弁座５１２から排水筒５１１に向かって縮径する縮径部５１３を備える。
【００３０】
また、本体部５１は、排水口３２の中心に対して同心円状に並んだ複数の柱部５１４を備える。複数の柱部５１４は、弁座５１２の外方において互いに間隔をあけて配置される。
【００３１】
排水弁体５２は、本体部５１における複数の柱部５１４の内側に配置される。排水弁体５２は、フロート５２１と、シール部５２２と、壁部５２３とを備える。
【００３２】
フロート５２１は、空気が貯留される内部空間を有しており、水位に連動して上下動する。シール部５２２は、フロート５２１の下部外周部に取り付けられ、フロート５２１が下降した場合に、本体部５１における弁座５１２に当接することによって排水口３２を塞ぐ。壁部５２３は、フロート５２１の上部外周部に設けられ、フロート５２１の上面よりも高い位置まで延在する。かかる壁部５２３の周面には、複数の開口５２４が形成される。
【００３３】
ガイド部５３は、本体部５１における複数の柱部５１４の上部に取り付けられる円筒状の部材であり、複数の柱部５１４よりも上方に延在し、排水弁体５２の上下動をガイドする。ガイド部５３の周面には、複数の開口５３１が形成される。
【００３４】
調整筒５４は、排水弁体５２における壁部５２３の内側に取り付けられる円筒状の部材であり、壁部５２３に形成された複数の開口５２４を塞ぐ。
【００３５】
調整筒５４は、フロート５２１の浮力調整機能を有しており、フロート５２１の上面との間に形成される貯水空間に洗浄水が貯まることでフロート５２１の錘となり、洗浄水タンク３０内の水位に対する排水弁体５２の高さ位置を変化させることができる。これにより、フロート５２１に対して調整筒５４が取り付けられた場合と取り外された場合とで、排水弁体５２により排水口３２が閉じられるタイミングを異ならせることができる。
【００３６】
なお、排水弁体５２がその可動範囲の最下位置、具体的には、排水口３２を塞ぐ位置に配置された状態において、ガイド部５３に形成される複数の開口５３１は、調整筒５４によって部分的に塞がれた状態となる。
【００３７】
排水弁体５２は、フロート５２１の上面に被接続部５６を備える。被接続部５６には、後述する手動用接続部および電動用接続部が接続される。
【００３８】
オーバーフロー管５５は、本体部５１の側方において本体部５１と一体的に設けられる。オーバーフロー管５５は、円筒状に形成され、上端開口５５１から流入した洗浄水を本体部５１の縮径部５１３に形成された下端開口５５２から流出させる。下端開口５５２から流出した洗浄水は、排水口３２から洗浄水タンク３０の外部へ排出される。これにより、洗浄水タンク３０から洗浄水が溢れることを防止することができる。
【００３９】
図２に示すように、洗浄水タンク装置３は、洗浄水タンク３０の内部に、手動引上部６と、電動引上部７と、手動用接続部８と、電動用接続部９とを備える。
【００４０】
手動引上部６は、洗浄水タンク３０の外側面に設けられたハンドル６１と、ハンドル６１に基端部が接続され、洗浄水タンク３０内に延出する略Ｌ字状の手動用レバー６２とを備える。手動用レバー６２は、ハンドル６１の回動操作によって、たとえば、図中の手前側へと揺動する。
【００４１】
手動用レバー６２の先端部は、排水弁装置５の上方に位置する。手動用レバー６２の先端部には、後述する手動用接続部８が接続される。
【００４２】
電動引上部７は、オーバーフロー管５５の上部に取り付けられる駆動部７１と、駆動部７１により駆動する電動用レバー７２とを備える。駆動部７１は、図示しないリモコン等から送信される信号に従って動作し、電動用レバー７２を揺動させる。電動用レバー７２の先端部は、排水弁装置５の上方に位置する。電動用レバー７２の先端部には、後述する電動用接続部９が接続される。
【００４３】
手動用接続部８は、手動引上部６と排水弁体５２とを接続する。かかる手動用接続部８は、手動用レバー６２の揺動により上方に引き上げられることで、排水弁体５２を上方に引き上げる。また、電動用接続部９は、電動引上部７と排水弁体５２とを接続する。かかる電動用接続部９は、電動用レバー７２の揺動により上方に引き上げられることで、排水弁体５２を上方に引き上げる。
【００４４】
ここで、手動用接続部８および電動用接続部９の具体的構成について図４をさらに参照して説明する。図４は、排水弁体５２における被接続部５６の周辺を拡大して示した断面図である。
【００４５】
図２および図４に示すように、手動用接続部８は、鎖８１と、上端側接続部材８２と、下端側接続部材８３とを備える。鎖８１は、金属製の輪が複数つなぎ合わさって形成される細長状の部材である。上端側接続部材８２は、たとえばフックであり、鎖８１の上端部に取り付けられる。上端側接続部材８２は、手動用レバー６２の先端部に設けられた複数の取付穴６３のいずれかに取り付けられることで、手動引上部６と鎖８１とを接続する。下端側接続部材８３は、たとえばホグリングであり、鎖８１の下端部に取り付けられる。下端側接続部材８３は、フロート５２１の上面に設けられた被接続部５６に形成された取付穴５６１に取り付けられることで、排水弁体５２と鎖８１とを接続する。
【００４６】
電動用接続部９は、鎖９１と、上端側接続部材９２と、下端側接続部材９３とを備える。鎖９１は、鎖８１と同様、金属製の輪が複数つなぎ合わさって形成される細長状の部材である。上端側接続部材９２は、たとえばフックであり、鎖９１の上端部に取り付けられる。上端側接続部材９２は、電動用レバー７２の先端部に設けられた取付穴（図示せず）に取り付けられることで、電動引上部７と上端側接続部材９２とを接続する。下端側接続部材９３は、たとえばフックであり、鎖９１の下端部に取り付けられる。下端側接続部材９３は、手動用接続部８の下端側接続部材８３に接続されることで、下端側接続部材８３を介して排水弁体５２と鎖９１とを接続する。
【００４７】
このように、実施形態に係る排水弁装置５は、手動引上部６および電動引上部７に手動用接続部８および電動用接続部９を介して接続されており、手動引上部６を用いた手動による洗浄操作が行われた場合には手動用接続部８が引き上げられ、電動引上部７を用いた電動による洗浄操作が行われた場合には電動用接続部９が引き上げられることで、排水弁体５２を引き上げて洗浄動作を開始させることができる。
【００４８】
一方、手動用接続部８および電動用接続部９は、いずれも被接続部５６に接続されるため、手動用接続部８および電動用接続部９の鎖８１，９１同士が絡まるおそれがある。また、鎖が１つである場合と比較して、ガイド部５３に形成された開口５３１に鎖８１，９１が入り込んで引っ掛かる可能性も高い。このような鎖８１，９１の干渉が生じると、洗浄動作が正常に行われなくなるおそれがある。
【００４９】
そこで、実施形態に係る洗浄水タンク装置３では、図４に示すように、手動用接続部８の一部を第１筒部材１０１で覆うとともに、電動用接続部９の一部を第２筒部材１０２で覆うこととした。これにより、手動用接続部８および電動用接続部９、具体的には鎖８１，９１の弛みが抑制されるため、鎖８１，９１は互いに絡まりにくくなり、また、ガイド部５３の開口５３１にも入り込み難くなる。すなわち、鎖８１，９１の干渉が生じ難くなる。したがって、実施形態に係る洗浄水タンク装置３によれば、手動での洗浄操作および自動での洗浄操作の両方に対応しつつ、洗浄動作を適切に実行することができる。
【００５０】
また、第２筒部材１０２の上端は、ガイド部５３の上端よりも上方に位置する。図４では、排水弁体５２が可動範囲の最下位置に配置された状態を示しているが、第２筒部材１０２の上端は、排水弁体５２が可動範囲の最上位置に配置された状態においてもガイド部５３の上端よりも上方に位置することは言うまでもない。
【００５１】
このように、第２筒部材１０２の上端が常にガイド部５３の上端よりも上方に位置するように第２筒部材１０２の長さを設定することにより、ガイド部５３に形成された開口５３１に第２筒部材１０２が入り込むことを抑制することができる。したがって、鎖９１と開口５３１との干渉を抑制することができる。
【００５２】
なお、上端がガイド部５３の上方に位置される筒部材は、必ずしも第２筒部材１０２であることを要さず、第１筒部材１０１であってもよい。
【００５３】
また、第２筒部材１０２のうち一方の長さは、ガイド部５３に形成された開口５３１の上下幅よりも長い。このため、ガイド部５３に形成された開口５３１に第２筒部材１０２が入り込むことをより確実に抑制することができる。
【００５４】
また、第２筒部材１０２の下端は、洗浄水タンク３０における死水水位ＤＷＬよりも上方に位置する。これにより、第２筒部材１０２は、閉弁時において洗浄水に水没することがないため、死水水位ＤＷＬの変動を抑えることができる。
【００５５】
また、第１筒部材１０１の下端は、手動用接続部８において被接続部５６に接続される下端側接続部材８３に接している。一方、第２筒部材１０２の下端は、第１筒部材１０１の下端よりも上方に位置する。具体的には、第２筒部材１０２の下端は、第１筒部材１０１の上端よりも上方に位置する。これにより、第１筒部材１０１と第２筒部材１０２との干渉を抑制することができる。また、第１筒部材１０１の長さを短くすることで、閉弁時における第１筒部材１０１の水没による死水水位ＤＷＬへの影響を小さくすることができる。
【００５６】
ここでは、排水弁体５２に対して調整筒５４が設けられる場合の例を示したが、排水弁体５２に調整筒５４が設けられない場合、第１筒部材１０１の長さは、ガイド部５３における開口５３１の上下幅よりも長くなるように設定されてもよい。また、第１筒部材１０１の長さは、第１筒部材１０１の上端が常にガイド部５３の上端よりも上方に位置するように設定されてもよい。
【００５７】
また、排水弁装置５は、第１当接部材１１１と、第２当接部材１２１と、第３当接部材１２２とを備える。第１当接部材１１１は、第１筒部材１０１よりも大径の円板状部材であり、手動用接続部８の鎖８１に固定され、第１筒部材１０１が上方へ移動した際に第１筒部材１０１の上端に当接する。このように、第１当接部材１１１を鎖８１に設けることで、第１筒部材１０１が浮力により上方に移動することによって鎖８１が露出することを抑制することができる。
【００５８】
上述したように、第１筒部材１０１の下端は、下端側接続部材８３に当接する。すなわち、第１筒部材１０１は、第１当接部材１１１と下端側接続部材８３とによって移動が規制される。第１筒部材１０１が下端側接続部材８３に当接している状態における第１筒部材１０１の上端と第１当接部材１１１との間のクリアランスは、鎖８１の一輪分よりも短い距離に設定される。これにより、第１筒部材１０１の上端と第１当接部材１１１との間あるいは第１筒部材１０１の下端と下端側接続部材８３との間から鎖８１がはみ出て鎖９１に絡まったりガイド部５３の開口５３１に入り込んだりすることを抑制することができる。
【００５９】
第２当接部材１２１は、第２筒部材１０２よりも大径の円板状部材であり、電動用接続部９の鎖９１に固定され、第２筒部材１０２が上方へ移動した際に第２筒部材１０２の上端に当接する。このように、第２当接部材１２１を鎖９１に設けることで、第２筒部材１０２が浮力により上方に移動することによって鎖９１が露出することを抑制することができる。第３当接部材１２２は、第２筒部材１０２よりも大径の円板状部材であり、電動用接続部９の鎖９１に固定され、第２筒部材１０２が下方へ移動した際に第２筒部材１０２の下端に当接する。
【００６０】
このように、第２筒部材１０２は、第２当接部材１２１と第３当接部材１２２とによって移動が規制される。第２筒部材１０２が第３当接部材１２２に当接している状態における第２筒部材１０２の上端と第２当接部材１２１との間のクリアランスは、鎖９１の一輪分よりも短い距離に設定される。これにより、第２筒部材１０２の上端と第２当接部材１２１との間あるいは第２筒部材１０２の下端と第３当接部材１２２との間から鎖９１がはみ出て鎖８１に絡まったりガイド部５３の開口５３１に入り込んだりすることを抑制することができる。
【００６１】
なお、第３当接部材１２２は、下端側接続部材９３に接続される鎖９１の一輪よりも上方において鎖９１に固定される。このように、下端側接続部材９３に接続される鎖９１の一輪分を第２筒部材１０２から露出させて自由度を確保することで、下端側接続部材９３と鎖９１との絡まりを抑制することができる。
【００６２】
上述してきたように、実施形態に係る洗浄水タンク装置３は、排水弁装置５と、細長状の手動用接続部８と、細長状の電動用接続部９とを備える。排水弁装置５は、便器２に供給される洗浄水を貯留する洗浄水タンク３０の内部に配置され、洗浄水タンク３０の排水口３２を開閉する排水弁体５２と、排水弁体５２の上下動をガイドする筒状のガイド部５３と、ガイド部５３の側面に設けられた少なくとも１つの開口５３１とを備える。細長状の手動用接続部８は、排水弁体５２に設けられた被接続部５６に下端が接続され、手動引上部６に上端が接続される。細長状の電動用接続部９は、被接続部５６に下端が接続され、電動引上部７に上端が接続される。また、実施形態に係る洗浄水タンク装置３は、手動用接続部８の一部が第１筒部材１０１によって覆われ、電動用接続部９の一部が第２筒部材１０２によって覆われる。
【００６３】
手動用接続部８および電動用接続部９をそれぞれ第１筒部材１０１および第２筒部材１０２で覆うことにより、手動用接続部８および電動用接続部９の弛みが抑制されるため、手動用接続部８および電動用接続部９は互いに絡まりにくくなり、また、ガイド部５３の開口５３１にも入り込み難くなる。このように、手動用接続部８および電動用接続部９の干渉が生じ難くなることから、手動での洗浄操作および自動での洗浄操作の両方に対応しつつ、洗浄動作を適切に実行することができる。
【００６４】
また、第１筒部材１０１および第２筒部材１０２のうち少なくとも一方の上端は、ガイド部５３の上端よりも上方に位置する。これにより、ガイド部５３に形成された開口５３１に第１筒部材１０１または第２筒部材１０２が入り込むことを抑制することができる。したがって、手動用接続部８または電動用接続部９と開口５３１との干渉を抑制することができる。
【００６５】
また、第１筒部材１０１および第２筒部材１０２のうち一方の長さは、ガイド部５３の開口５３１の上下幅よりも長い。このため、ガイド部５３に形成された開口５３１に第１筒部材１０１または第２筒部材１０２が入り込むことをより確実に抑制することができる。
【００６６】
また、第１筒部材１０１および第２筒部材１０２のうち一方の下端は、洗浄水タンク３０における死水水位ＤＷＬよりも上方に位置する。これにより、死水水位ＤＷＬの変動を抑えることができる。
【００６７】
また、第１筒部材および第２筒部材のうち一方の下端は、第１筒部材および第２筒部材のうち一方が設けられる手動用接続部および電動用接続部のうち一方における被接続部に接続される下端側接続部材に接しており、第１筒部材および第２筒部材のうち他方の下端は、第１筒部材および第２筒部材のうち一方の下端よりも上方に位置する。これにより、第１筒部材１０１と第２筒部材１０２との干渉を抑制することができる。
【００６８】
また、実施形態に係る洗浄水タンク装置は、第１当接部材と、第２当接部材とを備える。第１当接部材は、手動用接続部に固定され、第１筒部材が上方へ移動した際に第１筒部材の上端に当接する。第２当接部材は、電動用接続部に固定され、第２筒部材が上方へ移動した際に第２筒部材の上端に当接する。これにより、第１筒部材１０１および第２筒部材１０２が浮力により上方に移動することによって手動用接続部８および電動用接続部９が露出することを抑制することができる。
【００６９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７０】
１  水洗大便器装置
２  便器
３  洗浄水タンク装置
４  給水装置
５  排水弁装置
６  手動引上部
７  電動引上部
３０  洗浄水タンク
５１  本体部
５２  排水弁体
５３  ガイド部
１０１  第１筒部材
１１１  第１当接部材
１０２  第２筒部材
１２１  第２当接部材
１２２  第３当接部材
５３１  開口
【図１】
2020097864.tif 000003
【図２】
2020097864.tif 000004
【図３】
2020097864.tif 000005
【図４】
2020097864.tif 000006